(57)【要約】【課題】従来に比べて嵩張らずかつ段積み作業を容易に行うことが可能なコンテナを提供する。【解決手段】本発明のコンテナ１０では、発泡樹脂壁である蓋体３０と底壁１４とに上側と下側の段積パーツ４０，５０が固定され、段積みしたときに上段側のコンテナ１０の下側段積パーツ４０と、下段側のコンテナ１０の上側段積パーツ５０とが係合して横ずれを防止する。ここで、上側と下側の段積パーツ４０，５０は、底壁１４等の発泡樹脂壁より高強度な非発泡の樹脂で構成されているので変形し難く、滑り易い。これにより、従来のコンテナに比べて段積み作業が容易になる。また、上側段積パーツ５０と下側段積パーツ４０は、コンテナ１０の上端部と下端部とに固定されているので、嵩張ることもない。【選択図】図２
2014231361.tif 000002
【特許請求の範囲】
【請求項１】
発泡成形された箱形容器であるコンテナであって、
上端部と下端部の発泡樹脂壁に、それら発泡樹脂壁より高強度な部材で構成された上側段積パーツと下側段積パーツとを固定して備え、段積みされたときに上段側の前記コンテナの前記下側段積パーツと、下段側の前記コンテナの前記上側段積パーツとが係合して横ずれを防止することを特徴とするコンテナ。
【請求項２】
前記発泡樹脂壁のうち前記上側段積パーツ及び前記下側段積パーツに覆われる部分に貫通孔を貫通形成し、前記発泡樹脂壁より高強度な部材で構成された複数の固定パーツを、前記上側段積パーツ及び前記下側段積パーツに対して前記発泡樹脂壁を挟むように配置しかつ前記貫通孔を通して前記上側段積パーツ及び前記下側段積パーツに結合させたことを特徴とする請求項１に記載のコンテナ。
【請求項３】
前記コンテナに、上面開口と前記上面開口を閉塞する蓋体とを設けて、前記蓋体に前記上側段積パーツを複数の前記固定パーツにて固定すると共に、それら複数の固定パーツを扁平直方体状の蓄冷材又は蓄熱材を保持する蓄冷材等保持部に兼用したことを特徴とする請求項２に記載のコンテナ。
【請求項４】
前記上側段積パーツから片持ち梁状に突出して前記コンテナの上面に重ねられ、前記コンテナの上面との間にカードを挟んで保持するカード保持片を備えたことを特徴とする請求項１乃至３の何れか１の請求項に記載のコンテナ。
【請求項５】
前記下側段積パーツを前記コンテナの下面より下方に突出させたことを特徴とする請求項１乃至４の何れか１の請求項に記載のコンテナ。
【発明の詳細な説明】
【技術分野】
【０００１】
本発明は、発泡成形されたコンテナであって、段積み可能なものに関する。
【背景技術】
【０００２】
この種の従来のコンテナ（以下、「第１の従来のコンテナ」という）として、段積みしたときに下段側のコンテナの蓋体上面に備えた上面凹部に、上段側のコンテナの下面突部を係合させて、コンテナ同士の横ずれを防ぐものが知られている（例えば、特許文献１参照）。
【０００３】
別の従来のコンテナ（以下、「第２の従来のコンテナ」という）として、非発泡の樹脂成形品であるコンテナ収容ケース内に収容した状態で使用され、段積みしたときに、上下のコンテナ収容ケース同士の係合によりコンテナ同士の横ずれを防ぐものも知られている（例えば、特許文献２参照）。
【先行技術文献】
【特許文献】
【０００４】
【特許文献１】特開２０００−２６４３７５号公報（図１２，図２０）
【特許文献２】特開平１０−１７０３１号公報（図１、図４）
【発明の概要】
【発明が解決しようとする課題】
【０００５】
しかしながら、上記した第１の従来のコンテナでは、発泡樹脂面同士がスムーズに摺接しないために上面凹部と下面突部との係合作業が困難で、非発泡の樹脂製のコンテナで同様の構造にした場合に比べて、段積み作業に手間がかかるという問題があった。これに対し、上記した第２の従来のコンテナでは、上記問題は解消されるものの、コンテナ収容ケース分が嵩張るという問題があった。
【０００６】
本発明は、上記事情に鑑みてなされたもので、従来に比べて嵩張らずかつ段積み作業を容易に行うことが可能なコンテナの提供を目的とする。
【課題を解決するための手段】
【０００７】
上記目的を達成するためになされた請求項１の発明に係るコンテナは、発泡成形された箱形容器であるコンテナであって、上端部と下端部の発泡樹脂壁に、それら発泡樹脂壁より高強度な部材で構成された上側段積パーツと下側段積パーツとを固定して備え、段積みされたときに上段側のコンテナの下側段積パーツと、下段側のコンテナの上側段積パーツとが係合して横ずれを防止するところに特徴を有する。
【０００８】
請求項２の発明は、請求項１に記載のコンテナにおいて、発泡樹脂壁のうち上側段積パーツ及び下側段積パーツに覆われる部分に貫通孔を貫通形成し、発泡樹脂壁より高強度な部材で構成された複数の固定パーツを、上側段積パーツ及び下側段積パーツに対して発泡樹脂壁を挟むように配置しかつ貫通孔を通して上側段積パーツ及び下側段積パーツに結合させたところに特徴を有する。
【０００９】
請求項３の発明は、請求項２に記載のコンテナにおいて、コンテナに、上面開口と上面開口を閉塞する蓋体とを設けて、蓋体に上側段積パーツを複数の固定パーツにて固定すると共に、それら複数の固定パーツを扁平直方体状の蓄冷材又は蓄熱材を保持する蓄冷材等保持部に兼用したところに特徴を有する。
【００１０】
請求項４の発明は、請求項１乃至３の何れか１の請求項に記載のコンテナにおいて、上側段積パーツから片持ち梁状に突出してコンテナの上面に重ねられ、コンテナの上面との間にカードを挟んで保持するカード保持片を備えたところに特徴を有する。
【００１１】
請求項５の発明は、請求項１乃至４の何れか１の請求項に記載のコンテナにおいて、下側段積パーツをコンテナの下面より下方に突出させたところに特徴を有する。
【発明の効果】
【００１２】
［請求項１の発明］
請求項１のコンテナは、上端部と下端部の発泡樹脂壁に上側段積パーツと下側段積パーツとが固定され、段積みしたときに上段側のコンテナの下側段積パーツと、下段側のコンテナの上側段積パーツとが係合して横ずれを防止する。ここで、上側段積パーツと下側段積パーツは、発泡樹脂壁より高強度な部材（例えば、非発泡の樹脂や金属）で構成されているので変形し難く、滑り易い。これにより、上記した第１の従来のコンテナに比べて段積み作業が容易になる。また、上側段積パーツと下側段積パーツは、コンテナの上端部と下端部とに固定されているので上記した第２の従来のコンテナに比べて嵩張ることもない。即ち、本発明のコンテナによれば、従来に比べて嵩張らずかつ段積み作業を容易に行うことができる。
【００１３】
［請求項２の発明］
請求項２のコンテナでは、上側段積パーツ及び下側段積パーツが固定パーツとの間で発泡樹脂壁を挟んだ状態で固定されるので、発泡樹脂壁に対する負荷が分散され、発泡樹脂壁に対する上側段積パーツ及び下側段積パーツの固定強度が高くなる。
【００１４】
［請求項３の発明］
請求項３の構成によれば、蓋体に上側段積パーツを固定する複数の固定パーツを、蓄冷材又は蓄熱材を保持する蓄冷材等保持部として兼用したので、蓄冷材等保持部用に専用パーツだけで構成した場合に比べて部品点数の削減が図られると共に、発泡樹脂壁で蓄冷材等保持部を形成した場合に比べて、蓄冷材等保持部の小型化が図られる。
【００１５】
［請求項４の発明］
請求項４の構成によれば、上側段積パーツから突出したカード押さ片と蓋体の上面との間にカードを挟んで保持させることができる。
【００１６】
［請求項５の発明］
請求項５のコンテナでは、下側段積パーツがコンテナの下面より下方に突出しているので、コンテナの下面の摩耗が防がれ、コンテナの耐久性が向上する。
【図面の簡単な説明】
【００１７】
【図１】本発明の第１実施形態に係るコンテナの斜視図
【図２】コンテナの蓋体を閉めた状態の斜視図
【図３】コンテナ本体の上面側斜視図
【図４】コンテナ本体の下面側斜視図
【図５】下側段積パーツと第１の固定パーツの上面側斜視図
【図６】下側段積パーツと第１の固定パーツの下面側斜視図
【図７】図２のコンテナのＡ−Ａ破断面における断面図
【図８】図２のコンテナのＢ−Ｂ破断面における断面図
【図９】コンテナ本体の下面側斜視図
【図１０】上側段積パーツと第２の固定パーツの上面側斜視図
【図１１】上側段積パーツと第２の固定パーツの下面側斜視図
【図１２】蓄冷材保持パーツと第１の固定パーツの上面側斜視図
【図１３】蓋体の上面側斜視図
【図１４】蓋体の下面側斜視図
【図１５】蓋体にパーツ群を取り付けた状態の下面側斜視図
【図１６】蓋体に蓄冷材を取り付けた状態の下面側斜視図
【図１７】図２のコンテナのＣ−Ｃ破断面における断面図
【図１８】コンテナと搬送ケースとを段積みした状態の斜視図
【図１９】第２実施形態の蓋体の上面側斜視図
【図２０】蓋体の下面側斜視図
【図２１】コンテナ本体の上面側斜視図
【図２２】コンテナ本体の下面側斜視図
【発明を実施するための形態】
【００１８】
［第１実施形態］
以下、本発明の一実施形態を図１〜図１８に基づいて説明する。図１に示すように本実施形態のコンテナ１０は、上面開放のコンテナ本体１１と、そのコンテナ本体１１の上面開口１１Ｋを閉塞する蓋体３０とに分かれている。それらコンテナ本体１１と蓋体３０は共にビーズ発泡成形品であって、樹脂の発泡ビーズ群を成形型に充填して例えばスチームで加熱することで発泡ビーズ同士をバインドしてなる。そして、コンテナ本体１１と蓋体３０とに、非発泡の樹脂製の下側段積パーツ４０、上側段積パーツ５０、第１と第２の固定パーツ６０，７０及び蓄冷材保持パーツ７５が組み付けられている。
【００１９】
図３に示すように、コンテナ本体１１は、長方形の底壁１４の１対の短辺部から１対の短辺側壁１２，１２、１対の長辺部から１対の長辺側壁１３，１３が起立した構造をなしている。そして、コンテナ本体１１の下端部における長手方向（図３の矢印Ｈ１の方向）の両端部に１対の下側段積パーツ４０，４０が固定されている。
【００２０】
下側段積パーツ４０は、コンテナ本体１１の短手方向（図３の矢印Ｈ２の方向）に延び、その全長は、コンテナ本体１１の短手方向の全長と略同一になっている。また、図４に示すように、下側段積パーツ４０は、コンテナ本体１１の下面に宛われる下面カバー壁４１と、短辺側壁１２の外面に宛われる側面カバー壁４２と、それら下面カバー壁４１と側面カバー壁４２の長手方向の両端部の間を連絡し、長辺側壁１３，１３の外面下角部に宛われる１対のサイド連絡壁４９，４９とを備えている。
【００２１】
図５に示すように、下面カバー壁４１は、側面カバー壁４２側で段付き状に上方に屈曲していて、その段差面を構成する段差壁４１Ｄと、段差壁４１Ｄの下縁部に直交したベース壁４１Ｇと、段差壁４１Ｄの上縁部と側面カバー壁４２とに直交した棚壁４１Ｊとからなる。また、段差壁４１Ｄと棚壁４１Ｊとは、側面カバー壁４２とサイド連絡壁４９，４９との間の角部に沿って直角に曲がって、その先端がベース壁４１Ｇの幅方向の中間位置に配置されている。
【００２２】
側面カバー壁４２は、下側段積パーツ４０の長手方向に中間位置で分断されている。また、その分断部分の両側において、側面カバー壁４２，４２の縁部と棚壁４１Ｊ，４１Ｊとが、それらの内面に直交する縦長長方形の１対の中間連絡壁４２Ｔ，４２Ｔにて連絡され、さらに、１対の中間連絡壁４２Ｔ，４２Ｔの間で段差壁４１Ｄから上方に延設された１対の三角リブ４１Ｅ，４１Ｅが、それら中間連絡壁４２Ｔ，４２Ｔに連絡されている。なお、三角リブ４１Ｅ，４１Ｅの間には、段差壁４１Ｄから上方に延設され、棚壁４１Ｊより上方に突出した中間補強リブ４１Ｆが設けられている。
【００２３】
ベース壁４１Ｇの上面には、側面カバー壁４２から離れた外縁部から起立して、両端部がサイド連絡壁４９，４９に接続された第１ベース補強リブ４６と、ベース壁４１Ｇの幅方向に中央で第１ベース補強リブ４６と平行に延び、両端部がサイド連絡壁４９，４９に接続された第２ベース補強リブ４７と、第２ベース補強リブ４７と段差壁４１Ｄとの間を複数位置で連絡する複数の連絡補強リブ４８とが形成されている。なお、側面カバー壁４２の内面と棚壁４１Ｊの上面との間は、複数の縦リブ４２Ｌにて連絡されている。
【００２４】
ベース壁４１Ｇの上面のうち第１と第２のベース補強リブ４６，４７に挟まれた部分には、下側段積パーツ４０の長手方向に沿って複数の結合突部４４が並べて設けられている。各結合突部４４は、上面が開放し、下面がベース壁４１Ｇによって閉塞された円筒状をなし、その結合突部４４のうち下側段積パーツ４０の長手方向で対向する２位置には、四角形の係合孔４４Ａ，４４Ａ（図５には、一方の係合孔４４Ａのみが示されている）が形成されている。
【００２５】
図７に示すように、棚壁４１Ｊは、側面カバー壁４２より外側に僅かに突出していて、その棚壁４１Ｊの先端から下方に下端係合リブ４３が垂下されている。図６に示すように、下端係合リブ４３は、下側段積パーツ４０の長手方向の全体に亘って延び、下端係合リブ４３の下端面の全体が、ベース壁４１Ｇの下面と面一になっていると共に、下端係合リブ４３の長手方向の両端部においては、下端係合リブ４３の下端面が丸みを帯びている。また、下側段積パーツ４０のうち下端係合リブ４３と段差壁４１Ｄと棚壁４１Ｊとに三方を囲まれた部分は下端係合溝４３Ｍになっていて、その下端係合溝４３Ｍ内には、上記した複数の連絡補強リブ４８（図５参照）のうち両端部の連絡補強リブ４８を除く連絡補強リブ４８群の延長上に複数の溝内三角リブ４３Ｌが備えられている。それら溝内三角リブ４３Ｌは、図７に示すように、棚壁４１Ｊのうち段差壁４１Ｄ寄り位置から段差壁４１Ｄまでの範囲と、段差壁４１Ｄの上下方向の全体の範囲に亘って形成されている。
【００２６】
図６に示すように下端係合溝４３Ｍ内の長手方向における両端部寄り位置には、１対ずつの溝内係合リブ４５が備えられ、各対の溝内係合リブ４５，４５のうち下端係合溝４３Ｍの長手方向の中央寄りの溝内係合リブ４５，４５が複数の連絡補強リブ４８（図５参照）における両端部の連絡補強リブ４８，４８の延長上に配置されている。図７に示すように、溝内係合リブ４５の下面は、段差壁４１Ｄ寄り位置で屈曲していて、その屈曲部より下端係合リブ４３側が、下端係合リブ４３の下面より上方位置で水平になった水平当接面４５Ｂをなし、屈曲部より段差壁４１Ｄ側が、段差壁４１Ｄの下端に向かって傾斜した幅寄傾斜面４５Ａになっている。
【００２７】
図９に示すように、コンテナ本体１１のうち短辺側壁１２，１２と底壁１４とが交差する両角部には、１対の下側段積パーツ４０，４０を取り付けるためのパーツ取付部１５，１５が備えられている。パーツ取付部１５の全体は、コンテナ本体１１の外面の一部を、下側段積パーツ４０のベース壁４１Ｇ、側面カバー壁４２、サイド連絡壁４９の肉厚分だけ陥没させてなり、その陥没部分に第１と第２のベース補強リブ４６，４７等（図５参照）のリブ群を収容する複数のリブ収容溝１５Ｍと、複数の結合突部４４が挿入される複数の貫通孔１４Ａとが形成されている。また、短辺側壁１２の外面には、その横方向の中央に、パーツ取付部１５から上端寄り位置に亘って矩形溝１２Ｍが形成され、その矩形溝１２Ｍの下端部奥面が、下側段積パーツ４０の三角リブ４１Ｅ，４１Ｅ及び中間補強リブ４１Ｆの上面形状に対応した形状に陥没している。
【００２８】
そして、各下側段積パーツ４０がコンテナ本体１１のパーツ取付部１５に下方から装着されて、図７に示すように、ベース壁４１Ｇの下面が底壁１４の下面と略面一になり、側面カバー壁４２の外面が短辺側壁１２の外面と略面一になり、さらに、図８に示すように、サイド連絡壁４９の外面が長辺側壁１３の外面と略面一になっている。また、結合突部４４は、貫通孔１４Ａの下端部から上端寄り位置まで挿入されている。
【００２９】
コンテナ本体１１の内側には、第１の固定パーツ６０が下側段積パーツ４０との間に底壁１４を挟むように装着されている。その第１の固定パーツ６０は、図６に示すように、下側段積パーツ４０と平行に延びた帯板壁６１の下面に複数の係止部６２を備えた構造をなしている。各係止部６２には、帯板壁６１の下面から垂下されて帯板壁６１の長手方向で対向した１対の係止爪６３，６３が備えられ、それら係止爪６３，６３は、先端外面に三角形の係止突起６３Ｔ，６３Ｔを有している。なお、帯板壁６１の幅方向の両側縁部からは、下方に向けて補強用の突条６１Ｌ，６１Ｌが突出している。
【００３０】
底壁１４の上面には、下側段積パーツ４０，４０の上方位置に、帯板受容溝１６，１６が陥没形成されている。そして、各帯板受容溝１６に第１の固定パーツ６０の帯板壁６１が受容されると共に、第１の固定パーツ６０の各係止部６２が、貫通孔１４Ａ内で下側段積パーツ４０の結合突部４４内に押し込まれ、係止爪６３の係止突起６３Ｔが、結合突部４４の係合孔４４Ａに係合している。これにより、下側段積パーツ４０が第１の固定パーツ６０との間に、発泡樹脂壁である底壁１４を挟んだ状態で固定されている。なお、図７に示すように、コンテナ本体１１の底面のうち帯板受容溝１６が形成された部分を除く全体は、細かい凹凸を有した凹凸面１４Ｆになっている。
【００３１】
図９に示すように、コンテナ本体１１の両短辺側壁１２，１２には、各矩形溝１２Ｍの上端部を、矩形溝１２Ｍの全体より深く陥没させて手差部１２Ｈ（図９には、一方の短辺側壁１２の手差部１２Ｈのみが示されている）が形成されている。また、両長辺側壁１３，１３には、それらの横方向の中央における下端部を陥没させて手差部１３Ｈが形成されている。さらに、一方の長辺側壁１３のみに、横方向の中央における上端部を陥没させて蓋用手差部１３Ｇが形成されている。
【００３２】
図３に示すように、コンテナ本体１１の上面のうち蓋用手差部１３Ｇが形成されている側の開口縁からは上面突条１１Ｔが突出している。また、コンテナ本体１１の内面には、上面開口１１Ｋの開口縁全体に亘って第１の段差部１１Ｅが形成されている。そして、１対の短辺側壁１２，１２には、第１の段差部１１Ｅの内側に第２段差部１１Ｆが形成されて、２段の階段状になっている。なお、図１７に示すように、蓋用手差部１３Ｇを備えた一方の長辺側壁１３の第１の段差部１１Ｅより、他方の長辺側壁１３の第１の段差部１１Ｅの方が幅広になっている。
【００３３】
図２に示すように、蓋体３０は、コンテナ本体１１に対応した横長の長方形をなし、その上面における長手方向（図２の矢印Ｈ１の方向）の両端部に１対の上側段積パーツ５０，５０が固定されている。上側段積パーツ５０は、蓋体３０の短手方向（図２の矢印Ｈ２の方向）に延び、その全長は、蓋体３０の短手方向の全長と略同一になっている。また、上側段積パーツ５０は、蓋体３０の上面の一部を覆った上面カバー壁５１と、上面カバー壁５１から垂下されて蓋体３０の角部側面を覆った側面カバー壁５２，５２と、上面カバー壁５１から起立した係合突壁５３とを備えている。
【００３４】
図１０に示すように、上面カバー壁５１は、帯板状をなし、上面カバー壁５１の長手方向における両端寄り位置からは、蓋体３０の横方向の中央に向かって１対のカード保持突片５５，５５が突出している。カード保持片５５は、先端寄り位置までは上面カバー壁５１と同じ肉厚でかつ均一幅をなして延び、先端寄り位置から先端までが、先細りの三角形の先端可撓部５５Ａになっている。また、先端可撓部５５Ａの上面は先方に向かって僅かに下るように傾斜し、これにより先端可撓部５５Ａが上面カバー壁５１に比べて薄肉になっている。さらに、図１１に示すように、上面カバー壁５１の下面からカード保持片５５の先端に亘って１対の下面突条５５Ｌ、５５Ｌが延びている。
【００３５】
また、上面カバー壁５１の下面には、長手方向に沿って複数の係止部５６が並べて設けられている。係止部５６群は、上記した第１の固定パーツ６０の係止部６２群（図６参照）と、構造、数、配置が全く同じになっている。
【００３６】
側面カバー壁５２は、上面カバー壁５１の長手方向の両端部に設けられ、上面カバー壁５１の先端縁からカード保持片５５と反対側の一側縁に亘って延びたＬ字状をなしている。なお、上面カバー壁５１の一側縁の側面カバー壁５２の端縁部は、上下方向に対して傾斜して延びている。
【００３７】
図１０に示すように、係合突壁５３は、上面カバー壁５１のうちカード保持片５５から離れた一側縁寄りに配置されて、上面カバー壁５１の長手方向の全体に亘って延びている。また、係合突壁５３の長手方向における両端寄り位置には、切欠凹部５４が形成されている。切欠凹部５４には、係合突壁５３の長手方向の端部側に垂直係止面５４Ａ、その反対側に傾斜ガイド面５４Ｃ、それら垂直係止面５４Ａと傾斜ガイド面５４Ｃとの間に水平対向面５４Ｂが備えられている。
【００３８】
図１３に示すように、蓋体３０には、上面における外縁全体の帯状領域Ｒ１，Ｒ１，Ｒ２，Ｒ２と、上面の長手方向（図１３の矢印Ｈ１の方向）の中央で短手方向（図１３の矢印Ｈ２の方向）に延びた帯状領域Ｒ３とを除いた残りの１対の矩形領域を段付き状に隆起させて１対の上面隆起部３１，３１が形成されている。それら上面隆起部３１，３１の高さは、上側段積パーツ５０における上面カバー壁５１の肉厚程度になっている。また、蓋体３０の上面外縁部の短手方向に延びた１対の帯状領域Ｒ１，Ｒ１と、上面隆起部３１，３１に挟まれた帯状領域Ｒ３とには、底壁１４の貫通孔１４Ａ群と同様に複数の貫通孔３０Ａが並べて形成されている。さらに、蓋体３０の上面のうち上面隆起部３１，３１に挟まれた帯状領域Ｒ３と、蓋体３０の上面外縁部の長手方向に延びた一方の帯状領域Ｒ２との交差部には、蓋体３０の上面の一部を矢印状に隆起させたマーカー３２が形成されている。また、蓋体３０の側面の四隅の角部には、上側段積パーツ５０の側面カバー壁５２を収容するための側面凹部３３が形成されている。
【００３９】
そして、１対の上側段積パーツ５０，５０が蓋体３０の長手方向における両端部に上方から装着されて、図７に示すように、上面カバー壁５１の上面が上面隆起部３１の上面と略面一になり、図２に示すように、側面カバー壁５２の外面が蓋体３０の側面と略面一になっている。また、各カード保持片５５が蓋体３０の上面外縁部の長手方向に延びた両帯状領域Ｒ２，Ｒ２に重ねられている。さらに、上側段積パーツ５０の係止部５６が、蓋体３０の貫通孔３０Ａに挿入された状態になっている。
【００４０】
蓋体３０の下面側には、１対の上側段積パーツ５０，５０の真下位置に１対の第２の固定パーツ７０，７０が装着されている。図１０に示すように、第２の固定パーツ７０は、上側段積パーツ５０と平行に延びた帯板壁７１を備え、その帯板壁７１の上面における長方向方向の複数位置に、上記した下側段積パーツ４０の結合突部４４群と同様の係合突部７４群を備えている。そして、下側段積パーツ４０と第１の固定パーツ６０との結合と同様に、貫通孔３０Ａ内で第２の固定パーツ７０における結合突部７４群の係合孔７４Ａに、上側段積パーツ５０の係止部５６群における係止爪５７の係止突起５７Ｔが係合し、上側段積パーツ５０が第２の固定パーツ７０との間で、発泡樹脂壁である蓋体３０を挟んで状態で固定されている。
【００４１】
また、第２の固定パーツ７０の帯板壁７１の下面全体における幅方向の中央からは、垂下リブ７２が垂下され、その垂下リブ７２の下端部から蓋体３０の長手方向の中央側に水平リブ７３が張り出している。そして、水平リブ７３と垂下リブ７２と帯板壁７１とに三方を囲まれた部分が蓄冷材保持溝７０Ｍになっている。
【００４２】
第２の固定パーツ７０と協働して蓋体３０の下面に後述する蓄冷材９０（図１参照）を保持するために、蓋体３０の下面の長手方向における中央には、蓄冷材保持パーツ７５が取り付けられている。図１２に示すように、蓄冷材保持パーツ７５は、第２の固定パーツ７０の帯板壁７１、結合突部７４群及び垂下リブ７２と同一形状の、帯板部７６、結合突部７９群及び垂下リブ７７を有している。また、垂下リブ７７の下端部には、帯板壁７１と同一形状の下端帯板壁７８が備えられて帯板壁７１に対向している。そして、垂下リブ７７の両側が蓄冷材保持溝７５Ｍ，７５Ｍになっている。
【００４３】
蓄冷材保持パーツ７５は、前述した下側段積パーツ４０を固定するために使用した第１の固定パーツ６０と同一の第１の固定パーツ６０にて蓋体３０に固定されている。即ち、蓄冷材保持パーツ７５の結合突部７９群が、蓋体３０の長手方向に中央に配置された貫通孔３０Ａ群に挿入されると共に、上面側から第１の固定パーツ６０が装着されて、各貫通孔３０Ａの内部で、第１の固定パーツ６０の係止部６２群における係止爪６３の係止突起６３Ｔが、蓄冷材保持パーツ７５の結合突部７９群における結合孔７９Ａに係合し、蓄冷材保持パーツ７５が第１の固定パーツ６０との間で蓋体３０を挟んだ状態で固定されている。
【００４４】
なお、蓄冷材保持パーツ７５に結合された第１の固定パーツ６０の帯板壁６１の上面は、図７に示すように上面隆起部３１の上面と略面一になっている。また、図１４に示すように、蓋体３０の下面には、両第２の固定パーツ７０，７０及び蓄冷材保持パーツ７５の固定部分に帯板受容溝３０Ｂが陥没形成されていて、図７に示すように、各第２の固定パーツ７０の帯板壁７１と蓄冷材保持パーツ７５の帯板部７６とが帯板受容溝３０Ｂに受容されて、蓋体３０の内面と帯板壁７１及び帯板部７６の下面とが略面一になっている。
【００４５】
図１５に示すように、蓋体３０の下面には、１対の第２の固定パーツ７０，７０と平行に延びた１対のサイド突条３５，３５がそれぞれ第２の固定パーツ７０より外側の外縁部に形成されている。また、蓋体３０の下面のうち長手方向に延びた一方の外縁部には、コンテナ本体１１の上面突条１１Ｔ（図３参照）に対応した蓋下面溝３４が陥没形成され、この蓋下面溝３４の上方に上記したマーカー３２が配置されている。さらに、蓋体３０の下面のうち長手方向に延びた他方の外縁部には、サイド突条３５，３５の一端部の間を連絡するように蓄冷材突当壁３７が突出形成されている。また、蓄冷材突当壁３７の蓋体３０の下面からの突出量は、サイド突条３５に比べて略２倍になっている。
【００４６】
蓄冷材保持パーツ７５とその両隣の第２の固定パーツ７０，７０との間は、蓄冷材収容部３０Ｓ，３０Ｓになっていて、これら蓄冷材収容部３０Ｓ，３０Ｓに図１６に示した蓄冷材９０，９０が収容される。蓄冷材９０は、扁平直方体状の容器部９０Ｈの長辺側の両側面から１対ずつの第１係止片９２，９２が張り出し、容器部９０Ｈの短辺側の両側面から１対ずつの第２係止片９３，９３が張り出した構造をなしている。また、第１及び第２の係止片９２，９３は、容器部９０Ｈの厚さ方向の中央に配置されている。さらに、容器部９０Ｈのうち一方の短辺側の側面の中央には、容器部９０Ｈに蓄冷液を充填する充填口９４が設けられて、その充填口９４が栓にて閉塞されている。そして、上記した蓄冷材突当壁３７には、各蓄冷材収容部３０Ｓ毎に容器部９０Ｈの短辺側の側面の１対の第２係止片９３，９３及び充填口９４と凹凸係合する段付凹部３６が形成されている。
【００４７】
本実施形態のコンテナ１０の構成に関する説明は、以上である。次に、このコンテナ１０の作用効果について説明する。本実施形態のコンテナ１０の蓋体３０に蓄冷材９０を保持させるには、図１６に示すように、蓋体３０のうち蓋下面溝３４側を上にする一方、蓄冷材突当壁３７側を下にして、蓄冷材９０の両側部の第１係止片９２，９２を蓄冷材保持溝７０Ｍ，７５Ｍにスライド係合させるようにして、蓄冷材収容部３０Ｓに蓄冷材９０を充填口９４側から挿入すればよい。すると、蓄冷材９０の一端部が蓄冷材突当壁３７に当接して位置決めされ、蓋下面溝３４より蓄冷材突当壁３７側に蓄冷材９０が位置した状態になる。
【００４８】
コンテナ本体１１の上面開口１１Ｋを蓋体３０にて閉塞するには、図１７に示すように、コンテナ本体１１の上面突条１１Ｔに蓋体３０の蓋下面溝３４を対向配置して蓋体３０をコンテナ本体１１の上面に宛えばよい。すると、上面突条１１Ｔが蓋下面溝３４に嵌合し、蓋体３０の蓄冷材突当壁３７がコンテナ本体１１の第１の段差部１１Ｅに収まると共に、蓋体３０のサイド突条３５，３５（図１５参照）が、コンテナ本体１１の第２の段差部１１Ｆ，１１Ｆ（図３参照）に収まり、蓋体３０の下面の外縁部がコンテナ本体１１の上面に面当接した状態になる。また、この状態で、蓄冷材９０のうち蓋下面溝３４側の端部は、コンテナ本体１１の内側面に突き合わされた状態になり、これにより、蓄冷材収容部３０Ｓ内での蓄冷材９０の移動が規制される。
【００４９】
蓋体３０を開くには、蓋体３０のうちマーカー３２（図２参照）が配置された一側縁部を持ち上げればよい。具体的には、例えば、蓋用手差部１３Ｇに手を差し込んで蓋体３０の一側縁部を持ち上げればよい。すると、蓄冷材突当壁３７を中心に蓋体３０が回動して、蓋体３０が傾斜姿勢になり、上面開口１１Ｋが開放される。このとき、蓄冷材収容部３０Ｓにおける蓄冷材９０の挿入口は上方を向いているので、蓄冷材９０が蓄冷材収容部３０Ｓから外れることはない。
【００５０】
さて、コンテナ１０は、保冷を必要とする食料品の搬送に使用され、ときには、保冷不要な食料品用の搬送ケース８０（図１８参照）と組み合わせて使用される。その搬送ケース８０は、図１８に示すように、メッシュ構造の長方形の底壁８１における外縁部分から１対の長辺側壁８２，８２とそれら長辺側壁８２，８２より高い１対の短辺側壁８３，８３とが起立した構造をなしている。また、１対の短辺側壁８３，８３の上端面には、上記した上側段積パーツ５０の係合突壁５３（図２参照）と同形状の係合突壁８４，８４が備えられ、係合突壁８４の両端部には切欠凹部８５，８５が形成されている。さらに、係合突壁８４の下面のうち１対の短辺側壁８３，８３の下方位置には、上記した下側段積パーツ４０の下端係合リブ４３、下端係合溝４３Ｍ、溝内係合リブ４５（図７参照）と同形状の下端係合リブ８６、下端係合溝８６Ｍ等が備えられている。そして、複数のコンテナ１０と複数の搬送ケース８０とが、任意の順番で段積みされる。
【００５１】
ここで、コンテナ１０，１０同士が段積みされたときには、上段側のコンテナ１０の下側段積パーツ４０における下端係合溝４３Ｍ，４３Ｍに、下段側のコンテナ１０の上側段積パーツ５０の係合突壁５３，５３が受容されると共に、それら係合突壁５３の切欠凹部５４に下端係合溝４３Ｍ内の溝内係合リブ４５が受容される。このとき切欠凹部５４の水平対向面５４Ｂ（図１０参照）は、溝内係合リブ４５の水平当接面４５Ｂ（図７参照）と対向し、切欠凹部５４の垂直係止面５４Ａ（図１０参照）は、溝内係合リブ４５に隣接した状態になる。これらにより、上下のコンテナ１０，１０は、互いに水平方向に移動できない状態に規制される。即ち、コンテナ１０，１０同士の横ずれが防止される。なお、コンテナ１０の上に搬送ケース８０が段積みされた場合も、搬送ケース８０の上にコンテナ１０が段積みされた場合も、搬送ケース８０，８０同士が段積みされた場合も同様である。
【００５２】
このように本実施形態のコンテナ１０では、発泡樹脂壁である蓋体３０と底壁１４とに上側段積パーツ５０と下側段積パーツ４０とが固定され、段積みしたときに上段側のコンテナ１０の下側段積パーツ４０と、下段側のコンテナ１０の上側段積パーツ５０とが係合して横ずれを防止する。ここで、上側段積パーツ５０と下側段積パーツ４０は、底壁１４や蓋体３０等の発泡樹脂壁より高強度な非発泡の樹脂で構成されているので変形し難く、滑り易い。これにより、従来のコンテナに比べて段積み作業が容易になる。また、コンテナ１０の発泡樹脂壁により、下側段積パーツ４０、上側段積パーツ５０に相当する部位を成形しようとした場合には、強度を高めるために発泡ビーズの発泡倍率を下げる必要が生じ、材料費のアップ、保温性能の低下、重量の増加等の問題が生じるが、本実施形態のコンテナ１０によれば、そのような問題も解決される。
【００５３】
しかも、上側段積パーツ５０と下側段積パーツ４０は、コンテナ１０の上端部と下端部とに固定されているので従来のコンテナ収容ケースが不要になり、嵩張ることもない。即ち、本実施形態のコンテナ１０によれば、従来に比べて嵩張らずかつ段積み作業を容易に行うことができる。
【００５４】
また、上側段積パーツ５０及び下側段積パーツ４０が、第１又は第２の固定パーツ７０，７５との間で底壁１４又は蓋体３０の発泡樹脂壁を挟んだ状態で固定されるので、発泡樹脂壁に対する負荷が分散され、上側段積パーツ５０及び下側段積パーツ４０の固定強度も高い。
【００５５】
さらに、蓋体３０に上側段積パーツ５０を固定する第２の固定パーツ７０，７０を、蓄冷材９０を保持する本発明の蓄冷材等保持部に兼用したので、蓄冷材等保持部を専用パーツだけで構成した場合に比べて部品点数の削減が図られると共に、発泡樹脂壁で蓄冷材等保持部を形成した場合に比べて、蓄冷材等保持部の小型化が図られる。
【００５６】
また、本実施形態のコンテナ１０では、上側段積パーツ５０に備えたカード保持片５５と蓋体３０の上面との間にカード９９を挟んで保持させることもできる。
【００５７】
［第２実施形態］
本実施形態のコンテナの蓋体３０Ｖは、図１９と図２０とに示され、コンテナ本体１１Ｖは、図２１と図２２とに示されている。以下、前記第１実施形態と異なる構成に関してのみ説明する。
【００５８】
図１９に示すように、本実施形態の蓋体３０Ｖの上面には、外縁全体の枠状領域の内側を隆起させて上面隆起部３１Ｖが形成されている。また、その上面隆起部３１Ｖの中央には、第１の固定パーツ６０の帯板壁６１を受容するための帯板受容溝３１Ａが形成されている。
【００５９】
本実施形態の上側段積パーツ５０Ｖの側面カバー壁５２Ｖは、上面カバー壁５１のうち蓋体３０Ｖの側面側に位置した外縁部の全体から垂下されている。また、その側面カバー壁５２Ｖには、複数の矩形窓５２Ｗが形成されて、それら矩形窓５２Ｗに蓋体３０Ｖの側面から突出した矩形突部３０Ｔが嵌合している。さらに、上側段積パーツ５０Ｖの長手方向の両端部には、図２０に示すように、側面カバー壁５２Ｖの下縁部から内側に張りだして蓋体３０Ｖの下面角部に重ねられた蓋下面係合壁５２Ｔ，５２Ｔが備えられている。
【００６０】
図２２に示すように、本実施形態の下側段積パーツ４０Ｖには、ベース壁４１Ｇのうち段差壁４１Ｄ寄りの帯状領域を段差壁４１Ｄと共に下方に突出させてなる下面突部４１Ｖが設けられている。そして、コンテナ本体１１Ｖが床面に載置されると、両下側段積パーツ４０Ｖ，４０Ｖの下面突部４１Ｖ，４１Ｖの下面が床面に当接して、コンテナ本体１１Ｖの発泡樹脂壁である底壁１４が床面から上方に浮いた状態になる。なお、本実施形態のコンテナ本体１１Ｖには、前記第１実施形態のコンテナ本体１１の第１の段差部１１Ｅが備えられていない（図２１参照）。
【００６１】
本実施形態のコンテナでは、前記第１実施形態のコンテナ１０と同様の効果を奏することに加え、下側段積パーツ４０Ｖの一部である下面突部４１Ｖが下面から突出しているので、コンテナ１０の下面の摩耗が防がれ、耐久性が向上する。
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６２】
（１）前記第１実施形態の下側段積パーツ４０及び上側段積パーツ５０は非発泡樹脂製であったが、金属製であってもよい。
【００６３】
（２）前記第１実施形態では、下側段積パーツ４０及び上側段積パーツ５０が第１又は第２の固定パーツ６０，７０との間にコンテナ１０の発泡樹脂壁を挟んで固定されていたが、下側段積パーツ又は上側段積パーツの一部がコンテナの発泡樹脂壁に埋設されるようにインサート成形することで、それら下側段積パーツ又は上側段積パーツをコンテナの発泡樹脂壁に固定してもよい。
【００６４】
（３）前記第１実施形態のコンテナ１０では、蓋体３０に上側段積パーツ５０が固定されていたが、コンテナ本体の上端部に上側段積パーツを固定してもよい。また、コンテナ本体の上面開口を閉塞する蓋体を備えていなくてもよい。
【００６５】
（４）前記第１実施形態のコンテナ１０の蓄冷材収容部３０Ｓには、蓄冷材９０が収容されていたが、蓄熱材を収容する蓄熱材収容部を備えたコンテナに本発明を適用してもよい。
【符号の説明】
【００６６】
１０    コンテナ
１１，１１Ｖ    コンテナ本体
１１Ｋ  上面開口
１４    底壁（発泡樹脂壁）
１４Ａ  貫通孔
３０，３０Ｖ    蓋体（発泡樹脂壁）
３０Ａ  貫通孔
４０，４０Ｖ    下側段積パーツ
５０，５０Ｖ    上側段積パーツ
５５    カード保持片
６０    第１の固定パーツ
７０    第２の固定パーツ
９０    蓄冷材
【図１】
2014231361.tif 000003
【図２】
2014231361.tif 000004
【図３】
2014231361.tif 000005
【図４】
2014231361.tif 000006
【図５】
2014231361.tif 000007
【図６】
2014231361.tif 000008
【図７】
2014231361.tif 000009
【図８】
2014231361.tif 000010
【図９】
2014231361.tif 000011
【図１０】
2014231361.tif 000012
【図１１】
2014231361.tif 000013
【図１２】
2014231361.tif 000014
【図１３】
2014231361.tif 000015
【図１４】
2014231361.tif 000016
【図１５】
2014231361.tif 000017
【図１６】
2014231361.tif 000018
【図１７】
2014231361.tif 000019
【図１８】
2014231361.tif 000020
【図１９】
2014231361.tif 000021
【図２０】
2014231361.tif 000022
【図２１】
2014231361.tif 000023
【図２２】
2014231361.tif 000024